(57)【特許請求の範囲】
【請求項１】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記印字制御手段は、タグラベルを対応付ける対象物の種類に応じた複数のモードから１つのモードを選択したモード選択結果と、前記偏波方向情報取得手段で取得した偏波方向情報とに応じて、前記印字手段が、前記所定の印字領域に対しいずれの方向での印字を行うかを制御することを特徴とするタグラベル作成装置。
【請求項２】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記印字制御手段は、
タグラベルを対応付ける対象物の種類に応じた複数のモードから１つのモードを選択したモード選択結果と、前記偏波方向情報取得手段で取得した偏波方向情報とに応じて、前記印字手段が、前記所定の印字領域に対しいずれの方向での印字を行うかを制御し、かつ、記憶手段に記憶された、各モードごとの偏波方向情報とこれに対応する印字方向との相関に基づき、前記モード選択結果と、前記偏波方向情報取得手段で取得した偏波方向情報とに応じて、前記印字手段の印字方向を制御することを特徴とするタグラベル作成装置。
【請求項３】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記印字制御手段は、
前記偏波方向情報取得手段での情報取得結果に基づき、
前記無線タグ回路素子の偏波方向が前記搬送手段による前記タグ媒体の搬送方向と略平行であった場合に、前記印字手段が、当該搬送方向を横方向とする横向き印字と、当該搬送方向を縦方向とする縦向き印字とを、選択的に実行可能に制御することを特徴とするタグラベル作成装置。
【請求項４】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記印字制御手段は、
前記偏波方向情報取得手段での情報取得結果に基づき、
前記無線タグ回路素子の偏波方向が前記搬送手段による前記タグ媒体の搬送方向と略直角であった場合に、前記印字手段が、当該搬送方向を縦方向とする縦向き印字と、当該搬送方向を横方向とする横向き印字とを、選択的に実行可能に制御することを特徴とするタグラベル作成装置。
【請求項５】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記印字制御手段は、
前記偏波方向情報取得手段での情報取得結果に基づき、
前記無線タグ回路素子の偏波方向が前記搬送手段による前記タグ媒体の搬送方向と略平行であった場合、前記無線タグ回路素子の偏波方向が前記搬送手段による前記タグ媒体の搬送方向と略直角であった場合のいずれでも、前記印字手段が当該搬送方向を横方向とする横向き印字を実行するように制御することを特徴とするタグラベル作成装置。
【請求項６】
情報を記憶するＩＣ回路部と情報の送受信を行うアンテナとを備えた無線タグ回路素子を配置したタグ媒体を搬送する搬送手段と、
前記タグ媒体に備えられた前記無線タグ回路素子のアンテナの偏波方向に関する情報を取得する偏波方向情報取得手段と、
前記無線タグ回路素子との間で、無線通信により情報の送受信を行う送受信手段と、
前記搬送手段で搬送される前記タグ媒体又はこれに貼り合わされる被印字媒体の所定の印字領域に印字を行う印字手段と、
前記偏波方向情報取得手段で取得した前記偏波方向情報に応じて、前記印字手段が、前記所定の印字領域に対しいずれの方向での印字を行うかを制御する印字制御手段とを有し、
前記送受信手段は、
前記情報の送受信時の偏波方向を切替可能に構成されていることを特徴とするタグラベル作成装置。
【請求項７】
請求項１乃至６のいずれか１項記載のタグラベル作成装置において、
前記印字制御手段は、
前記偏波方向情報に応じて、前記搬送手段の搬送方向に沿った横向き印字を行うか、若しくは、前記搬送手段の搬送方向に沿った縦向き印字を行うかを決定する印字方向決定手段と、
この印字方向決定手段で決定された印字方向に対応し、対応する駆動信号を生成して前記印字手段へ出力する駆動信号生成手段と
を備えることを特徴とするタグラベル作成装置。
【請求項８】
請求項１乃至７のいずれか１項記載のタグラベル作成装置において、
前記偏波方向情報を手動入力するための操作手段を有し、
前記偏波方向情報取得手段は、前記操作手段の操作信号に基づき、前記偏波方向情報を取得することを特徴とするタグラベル作成装置。
【請求項９】
請求項１乃至７のいずれか１項記載のタグラベル作成装置において、
前記無線タグ回路素子を配置した前記タグ媒体を連続的に供給可能な無線タグ回路素子カートリッジを着脱可能なカートリッジホルダを有し、
前記偏波方向情報取得手段は、
前記カートリッジホルダに装着された前記無線タグ回路素子カートリッジの偏波方向情報記録部より、前記偏波方向情報を取得することを特徴とするタグラベル作成装置。
【請求項１０】
請求項９記載のタグラベル作成装置において、
前記カートリッジホルダは、前記タグ媒体の色、幅、厚さ等の属性や前記タグ媒体における前記無線タグ回路素子の配置方向が互いに異なる複数種類の前記無線タグ回路素子カートリッジを着脱可能に構成されていることを特徴とするタグラベル作成装置。
【請求項１１】
請求項１乃至１０のいずれか１項記載のタグラベル作成装置において、
前記印字手段は、前記偏波方向情報取得手段での情報取得結果に応じて、前記偏波方向を表すマーク印字を行うことを特徴とするタグラベル作成装置。
【発明の詳細な説明】
【技術分野】
【０００１】
本発明は、外部と情報の無線通信が可能な無線タグラベルを作成するタグラベル作成装置に関する。
【背景技術】
【０００２】
小型の無線タグに対し、リーダ／ライタより非接触で問い合わせの送信及び返答の受信を行うことで、無線タグの情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えている。ＩＣ回路部は、上記アンテナで受信された信号を復調して解釈するとともに、メモリに記憶された情報信号に基づいて上記受信した搬送波を変調反射しアンテナを介してリーダ／ライタへ返信する。このようにして、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００４】
一方、一般に、リーダ／ライタと上記無線タグ回路素子との無線通信においては、リーダ／ライタ側のアンテナの偏波方向と上記無線タグ回路素子の偏波方向とが合致しているときがもっとも通信感度がよく、ずれるほど通信感度が低くなる。このことを応用して、無線タグ回路素子をそれぞれ添付した複数の物品を、一方と他方とに区別して検出を行う手法が既に提唱されている（例えば、特許文献１参照）。
【０００５】
この従来技術では、商品を梱包箱内に梱包して配置する場合において、例えば当該商品には無線タグ回路素子のアンテナの偏波方向が鉛直上下方向となるように無線タグラベルを貼り付けるとともに、梱包箱には無線タグ回路素子のアンテナの偏波方向が水平方向となるように無線タグラベルを貼り付ける。そして、リーダ／ライタは垂直用直線偏波アンテナと水平用直線偏波アンテナとを選択的に用いることでアンテナの偏波方向を９０°切り替え可能に構成されており、垂直用直線偏波アンテナより電波信号を送信した場合は上記商品の無線タグ回路素子のみと通信を行い、水平用直線偏波アンテナより電波信号を送信した場合は上記梱包箱の無線タグ回路素子のみと通信を行う。これにより、商品の無線タグラベル及び梱包箱の無線タグラベルの両方がリーダ／ライタの通信範囲内に存在したとしても、リーダ／ライタの使用者は商品及び梱包箱それぞれの無線タグ回路素子を区別しつつ、混信することなく情報読み取りを行えるようになっている。
【特許文献１】特開２００５−８４７８１号公報
【発明の開示】
【発明が解決しようとする課題】
【０００６】
しかしながら、上記従来技術では、上記商品用の無線タグラベル及び梱包箱用の無線タグラベルにほぼ同じ形状の無線タグ回路素子を用いており、商品に設けるときには直線偏波のアンテナが鉛直上下方向となるように無線タグラベルを貼り付ける一方、梱包箱に設けるときには直線偏波のアンテナが水平方向となるように無線タグラベルを貼り付けることで、偏波方向特性を異ならせるようにしている。すなわち、無線タグラベルや無線タグ回路素子自体に外見上区別できる差異がないため、貼り付け作業者が貼り付け方向を誤り、本来使用者が望む偏波方向態様とは異なる態様に無線タグラベルを貼り付ける（例えば商品に設けるときにアンテナの偏波方向が水平方向となるように無線タグラベルを貼り付けたり、梱包箱に設けるときにはアンテナの偏波方向が鉛直上下方向となるように無線タグラベルを貼り付ける）畏れがある。このような場合、使用者が商品又は梱包箱の無線タグ回路素子を選択的に読み取ろうとしてもその意図とは異なった無線タグ回路素子の情報を読み取ってしまう畏れがある。
【０００７】
本発明の目的は、使用者が臨む所望の偏波方向態様となるように、無線タグラベルの方向を間違えることなく正しく貼り付けることができるタグラベル作成装置を提供することにある。
【課題を解決するための手段】
【０００８】
上記目的を達成するために、第１の発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記印字制御手段は、タグラベルを対応付ける対象物の種類に応じた複数のモードから１つのモードを選択したモード選択結果と、前記偏波方向情報取得手段で取得した偏波方向情報とに応じて、前記印字手段が、前記所定の印字領域に対しいずれの方向での印字を行うかを制御することを特徴とする。
【０００９】
本願第１発明においては、搬送手段で搬送されるタグ媒体に備えられた無線タグ回路素子に対し、送受信手段より無線通信にて情報送受信が行われ、さらにこのタグ媒体（又はこれに貼り合わされる被印字媒体）の所定の印字領域に対し印字手段で印字が行われることで、印字付きの無線タグラベルが作成される。このとき、印字制御手段が、偏波方向情報取得手段で取得した偏波方向情報に応じて印字手段の印字方向を制御することにより、完成した無線タグラベルにおいて、その印字方向と、ラベルに含まれる無線タグ回路素子のアンテナの偏波方向とは一対一に対応している。この結果、使用者が臨む所望の偏波方向態様となるように、無線タグラベルの方向を間違えることなく正しく貼り付けることができる。このとき、予め複数のモードを設定しておき、操作者がその中からモード選択手段で所望のモードを選択し、印字制御手段がその選択結果に応じて印字手段の印字方向を制御する方式とすることにより、無線タグラベル作成時の操作者の入力の手間を低減し、利便性を向上することができる。
上記目的を達成するために、第２発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記印字制御手段は、タグラベルを対応付ける対象物の種類に応じた複数のモードから１つのモードを選択したモード選択結果と、前記偏波方向情報取得手段で取得した偏波方向情報とに応じて、前記印字手段が、前記所定の印字領域に対しいずれの方向での印字を行うかを制御し、かつ、記憶手段に記憶された、各モードごとの偏波方向情報とこれに対応する印字方向との相関に基づき、前記モード選択結果と、前記偏波方向情報取得手段で取得した偏波方向情報とに応じて、前記印字手段の印字方向を制御することを特徴とする。
本願第２発明においては、操作者が所望のモードを選択すると、印字制御手段は、記憶手段に記憶されたこのモードにおける相関を参照しつつ、印字制御手段が偏波方向情報取得手段で取得した偏波方向情報に対応した印字方向となるように印字手段を制御する。この結果、モード選択操作のみでタグラベルの偏波方向に対応する印字方向を一対一に対応させることができる。
上記目的を達成するために、第３発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記印字制御手段は、前記偏波方向情報取得手段での情報取得結果に基づき、前記無線タグ回路素子の偏波方向が前記搬送手段による前記タグ媒体の搬送方向と略平行であった場合に、前記印字手段が、当該搬送方向を横方向とする横向き印字と、当該搬送方向を縦方向とする縦向き印字とを、選択的に実行可能に制御することを特徴とする。
本願第３発明においては、その搬送方向と偏波方向とが略平行となるように無線タグ回路素子が配置されたタグ媒体を用いて無線タグラベルを作成する場合において、偏波方向を横方向にして貼り付ける横向きラベル、偏波方向を縦方向にして貼り付ける縦向きラベルのいずれについても、１つの装置で作成することができる。
上記目的を達成するために、第４発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記印字制御手段は、前記偏波方向情報取得手段での情報取得結果に基づき、前記無線タグ回路素子の偏波方向が前記搬送手段による前記タグ媒体の搬送方向と略直角であった場合に、前記印字手段が、当該搬送方向を縦方向とする縦向き印字と、当該搬送方向を横方向とする横向き印字とを、選択的に実行可能に制御することを特徴とする。
本願第４発明においては、その搬送方向と偏波方向とが略直角となるように無線タグ回路素子が配置されたタグ媒体を用いて無線タグラベルを作成する場合において、偏波方向を横方向にして貼り付ける横向きラベル、偏波方向を縦方向にして貼り付ける縦向きラベルのいずれについても、１つの装置で作成することができる。
上記目的を達成するために、第５発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記印字制御手段は、前記偏波方向情報取得手段での情報取得結果に基づき、前記無線タグ回路素子の偏波方向が前記搬送手段による前記タグ媒体の搬送方向と略平行であった場合、前記無線タグ回路素子の偏波方向が前記搬送手段による前記タグ媒体の搬送方向と略直角であった場合のいずれでも、前記印字手段が当該搬送方向を横方向とする横向き印字を実行するように制御することを特徴とする。
本願第５発明においては、１つの装置で、その搬送方向と偏波方向とが略平行となるように無線タグ回路素子が配置されたタグ媒体、及び、搬送方向と偏波方向とが略直角となるように無線タグ回路素子が配置されたタグ媒体を、選択的に用い、どちらも印字方向を横方向にして貼り付ける横向きラベルで作成することができる。
上記目的を達成するために、第６発明は、情報を記憶するＩＣ回路部と情報の送受信を行うアンテナとを備えた無線タグ回路素子を配置したタグ媒体を搬送する搬送手段と、前記タグ媒体に備えられた前記無線タグ回路素子のアンテナの偏波方向に関する情報を取得する偏波方向情報取得手段と、前記無線タグ回路素子との間で、無線通信により情報の送受信を行う送受信手段と、前記搬送手段で搬送される前記タグ媒体又はこれに貼り合わされる被印字媒体の所定の印字領域に印字を行う印字手段と、前記偏波方向情報取得手段で取得した前記偏波方向情報に応じて、前記印字手段が、前記所定の印字領域に対しいずれの方向での印字を行うかを制御する印字制御手段とを有し、前記送受信手段は、前記情報の送受信時の偏波方向を切替可能に構成されていることを特徴とする。
タグ媒体に備えられた無線タグ回路素子の偏波方向の態様に応じて送受信手段の偏波方向を切り替えることで、無線タグ回路素子側の偏波方向態様がいずれであっても、確実に無線タグ回路素子と情報の送受信を行い、無線タグラベルを作成することができる。
【００１０】
第７発明は、上記第１乃至第６発明のいずれかにおいて、前記印字制御手段は、前記偏波方向情報に応じて、前記搬送手段の搬送方向に沿った横向き印字を行うか、若しくは、前記搬送手段の搬送方向に沿った縦向き印字を行うかを決定する印字方向決定手段と、この印字方向決定手段で決定された印字方向に対応し、対応する駆動信号を生成して前記印字手段へ出力する駆動信号生成手段とを備えることを特徴とする。
【００１１】
印字方向決定手段で偏波方向情報に応じて搬送方向に沿い縦向き印字か横向き印字かを決定し、駆動信号生成手段からその決定された印字方向に対応した駆動信号を印字手段へ出力することにより、完成した無線タグラベルにおいて、その印字方向と、ラベルに含まれる無線タグ回路素子の偏波方向とを一対一に対応させることができる。
【００１２】
第８発明は、上記第１乃至第７発明のいずれかにおいて、前記偏波方向情報を手動入力するための操作手段を有し、前記偏波方向情報取得手段は、前記操作手段の操作信号に基づき、前記偏波方向情報を取得することを特徴とする。
【００１３】
印字制御手段が、操作手段で手動入力され偏波方向情報取得手段で取得された偏波方向情報に応じて印字手段の印字方向を制御することにより、完成した無線タグラベルにおいて、その印字方向と、ラベルに含まれる無線タグ回路素子の偏波方向とを一対一に対応させることができる。また偏波方向情報を手動入力とすることで、どのようなタグ媒体上の無線タグ回路素子の偏波方向がどのような態様である場合でも、確実に対応させることができる。
【００１４】
第９発明は、上記第１乃至第７発明のいずれかにおいて、前記無線タグ回路素子を配置した前記タグ媒体を連続的に供給可能な無線タグ回路素子カートリッジを着脱可能なカートリッジホルダと、前記偏波方向情報取得手段は、前記カートリッジホルダに装着された前記無線タグ回路素子カートリッジの偏波方向情報記録部より、前記偏波方向情報を取得することを特徴とする。
【００１５】
印字制御手段が、無線タグ回路素子カートリッジの偏波方向情報記録部に記録され偏波方向情報取得手段で取得された偏波方向情報に応じて印字手段の印字方向を制御することにより、完成した無線タグラベルにおいて、その印字方向と、ラベルに含まれる無線タグ回路素子の偏波方向とを一対一に対応させることができる。また偏波方向情報をカートリッジ側から自動取得することで、いちいち手動入力をするような煩わしさがなく、また入力ミスのない正しい偏波方向情報を取得して確実にこれに対応する印字を行うことができる。
【００１６】
第１０発明は、上記第９発明において、前記カートリッジホルダは、前記タグ媒体の色、幅、厚さ等の属性や前記タグ媒体における前記無線タグ回路素子の配置方向が互いに異なる複数種類の前記無線タグ回路素子カートリッジを着脱可能に構成されていることを特徴とする。
【００１７】
これにより、例えばタグラベルの対象物の種類（梱包か品物か、人か物か、男性か女性か、場所を表す固定部材か物品か）等に応じて、異なる無線タグ回路素子カートリッジを着脱交換して使い分けることで、それら種類ごとに視覚的に明確に区別できるように無線タグラベルを作成することが可能となる。これにより、さらに確実にラベルの貼り間違いを防止することができる。
【００２８】
第１１発明は、上記第１乃至第１０発明のいずれかにおいて、前記印字手段は、前記偏波方向情報取得手段での情報取得結果に応じて、前記偏波方向を表すマーク印字を行うことを特徴とする。
【００２９】
偏波方向を表すマーク印字によって偏波方向の態様を視覚的に明確にすることができるので、さらに確実に無線タグラベルの方向を正しく貼り付けることができる。
【発明の効果】
【００３４】
本発明によれば、使用者が臨む所望の偏波方向態様となるように、無線タグラベルの方向を間違えることなく正しく貼り付けることができる。
【発明を実施するための最良の形態】
【００３５】
以下、本発明の一実施の形態を図面を参照しつつ説明する。
【００３６】
図１は、本実施形態のタグラベル作成装置が適用される無線タグ生成システムを表すシステム構成図である。この実施形態は、本発明を読み取りのみ可能な(書き込みは不可の)無線タグの生成システムに適用した場合の実施形態である。
【００３７】
図１に示すこの無線タグ生成システム１において、本実施形態によるタグラベル作成装置２は、有線あるいは無線による通信回線３を介してルートサーバ４、端末５、汎用コンピュータ６、及び複数の情報サーバ７に接続されている。
【００３８】
図２は、上記タグラベル作成装置２の詳細構造を表す概念的構成図である。
【００３９】
図２において、タグラベル作成装置２の装置本体８には、凹所としてのカートリッジホルダ部（図示せず）が設けられ、このホルダ部に、カートリッジ（無線タグ回路素子カートリッジ）１００が着脱可能に取り付けられている。
【００４０】
装置本体８は、カートリッジ１００を嵌合させる上記カートリッジホルダ部を備えるとともに外郭を構成する筐体９と、カバーフィルム（被印字媒体）１０３に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム１０３とタグ媒体としての基材テープ１０１（１０１ｈ又は１０１ｖ、詳細は後述）とを貼り合わせつつ印字済タグラベル用テープ１１０としてカートリッジ１００から繰り出すための圧着ローラ駆動軸１２と、印字済タグラベル用テープ１１０に備えられる無線タグ回路素子Ｔo（詳細は後述）との間でＵＨＦ帯等の高周波を用いて無線通信により信号の送受を行う送受信手段としての２つの第１アンテナ１４ｈ及び第２アンテナ１４ｖ（詳細は後述）と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoを第１アンテナ１４ｈ又は第２アンテナ１４ｖに対向する所定のアクセスエリアに設定保持するとともに、切断後のテープ１１０（＝無線タグラベルＴ）を案内するための一対の搬送ガイド１３と、その案内された無線タグラベルＴを搬出口１６へと搬送し送出する送出ローラ１７と、搬出口１６における無線タグラベルＴの有無を検出する排出センサ１８とを有している。
【００４１】
一方、装置本体８はまた、装置側アンテナである上記第１アンテナ１４ｈ，１４ｖを介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、カートリッジ１００に設けた被検出部１９０（偏波方向情報記録部、詳細は後述）に備えられた複数の識別子のそれぞれの凹凸形状を検出するセンサ（偏波方向情報取得手段）２０と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための上記制御回路３０とを有する。
【００４２】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００４３】
図３は、カートリッジ１００の一例として横アンテナ型無線タグ回路素子を形成した基材テープを備えるカートリッジ１００ｈの詳細構造を説明するための説明図である。
【００４４】
この図３において、カートリッジ１００は、筐体１００ｈＡと、この筐体１００ｈＡ内に配置され帯状の上記基材テープ１０１ｈが巻回された第１ロール１０２ｈと、上記基材テープ１０１ｈと略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１ｈと上記カバーフィルム１０３とを押圧し接着させ上記印字済タグラベル用テープ１１０としつつ矢印Ａで示す方向にテープ送りをする（＝搬送手段として機能する）圧着ローラ１０７とを有する。
【００４５】
第１ロール１０２ｈは、リール部材１０２ｈａの周りに、長手方向に複数の横アンテナ型無線タグ回路素子Ｔoｈが所定の等間隔で順次形成された上記基材テープ１０１ｈを巻回している。
【００４６】
基材テープ１０１ｈはこの例では（無線タグ回路素子及びその近傍を除くと）基本的には４層構造となっており（図３中部分拡大図参照）、内側に巻かれる側（図３中右側）よりその反対側（図３中左側）へ向かって、適宜の粘着材からなる粘着層１０１ｈａ、ＰＥＴ（ポリエチレンテレフタラート）等から成る色付きのベースフィルム１０１ｈｂ、適宜の粘着材からなる粘着層（貼付用粘着材層）１０１ｈｃ、剥離紙（剥離材層）１０１ｈｄの順序で積層され構成されている。
【００４７】
ベースフィルム１０１ｈｂの裏側（図３中左側）には、情報の送受信を行う細長いダイポールアンテナ１５２ｈが一体的に設けられており、これに接続するように情報を記憶するＩＣ回路部１５１が形成され、これらによって横アンテナ型無線タグ回路素子Ｔoｈが構成されている。この図３に示す例では、ダイポールアンテナ１５２ｈが基材テープ１０１ｈのテープ長手方向に平行な配置（横配置）で設けられている（後述の図１０参照）。
【００４８】
ベースフィルム１０１ｈｂの表側（図３中右側）には、後にカバーフィルム１０３を接着するための上記粘着層１０１ｈａが形成され、またベースフィルム１０１ｈｂの裏側（図３中左側）には、無線タグ回路素子Ｔoｈを内包するように設けた上記粘着層１０１ｈｃによって上記剥離紙１０１ｈｄがベースフィルム１０１ｈｂに接着されている。なお、この剥離紙１０１ｈｄは、最終的にラベル状に完成した無線タグラベルＴｈが所定の物品等に貼り付けられる際に、これを剥がすことで粘着層１０１ｈｃにより当該物品等に接着できるようにしたものである。
【００４９】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１ｈと接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００５０】
リボン巻取りローラ１０６及び圧着ローラ１０７は、それぞれカートリッジ１００ｈ外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５１】
上記構成のカートリッジ１００ｈにおいて、上記第１ロール１０２ｈより繰り出された基材テープ１０１ｈは、圧着ローラ１０７へと供給される。一方、第２ロール１０４より矢印Ａ方向に繰り出されるカバーフィルム１０３は、その裏面側（すなわち上記基材テープ１０１ｈと接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５２】
そして、カートリッジ１００ｈが上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１ｈ及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２ｈから基材テープ１０１ｈが繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図１０参照）が印刷される。そして、上記基材テープ１０１ｈと上記印刷が終了したカバーフィルム１０３とが上記圧着ローラ１０７及びサブローラ１０９により接着されて一体化され、印字済タグラベル用テープ１１０ｈとして形成され、カートリッジ１００ｈ外へと矢印Ｃ方向に搬出される。なお、カバーフィルム１０３への印字が終了したインクリボン１０５は、リボン巻取りローラ駆動軸１１の駆動によりリボン巻取りローラ１０６に巻取られる。この動作において、基材テープ１０１及びカバーフィルム１０３はそれぞれテープ長手方向に搬送されることになり、すなわちテープ長手方向がテープ搬送方向と同方向とになる。
【００５３】
図４は、上記カートリッジ１００の一例として、縦アンテナ型無線タグ回路素子を形成した基材テープを備えるカートリッジ１００ｖの詳細構造を説明するための説明図である。
【００５４】
上記図３に示したカートリッジ１００ｈと比較して、この図４に示すカートリッジ１００ｖは、その内部の第１ロール１０２ｖに巻回された基材テープ１０１ｖに縦アンテナ型無線タグ回路素子Ｔoｖが形成されている点で相違しているだけであり、その他同等の構成には同じ符号を付して説明を省略する。
【００５５】
基材テープ１０１ｖは、上記カートリッジ１００ｈの基材テープ１０１ｈと各層同じ材料からなる４層構造となっており（図４中部分拡大図参照）、ベースフィルム１０１ｖｂの裏側（図４中左側）には、情報の送受信を行う細長いダイポールアンテナ１５２ｖが基材テープ１０１ｖのテープ長手方向に直角な配置（縦配置）で設けられ（後述の図１２参照）、これに接続するように情報を記憶するＩＣ回路部（第１ＩＣ回路部）１５１が形成され、これらによって縦アンテナ型無線タグ回路素子Ｔoｖが構成されている。
【００５６】
そしてタグラベル作成装置２の装置本体８は、上記図３のカートリッジ１００ｈと図４のカートリッジ１００ｖのどちらも置換可能に嵌合でき、それぞれのカバーフィルム１０３に対して同等の印字が行えるようになっている。
【００５７】
図５は、基材テープに設けられた横アンテナ型無線タグ回路素子Ｔoｈ及び縦アンテナ型無線タグ回路素子Ｔoｖのそれぞれのタグ側アンテナの偏波方向の配置を概念的に示した説明図である。図５（ａ）は横アンテナ型無線タグ回路素子Ｔoｈの概念的平面図であり、図５（ｂ）は横アンテナ型無線タグ回路素子Ｔoｈとこれに対応する上記第１アンテナ１４ｈの偏波方向の位置関係を表す概念的斜視図である。図５（ｃ）は縦アンテナ型無線タグ回路素子Ｔoｖの概念的平面図であり、図５（ｄ）は縦アンテナ型無線タグ回路素子Ｔoｖとこれに対応する上記第２アンテナ１４ｖの偏波方向の位置関係を表す概念的斜視図である。
【００５８】
図５（ａ）及び図５（ｂ）において、前述したように横アンテナ型無線タグ回路素子Ｔoｈは、１本の細長いダイポールアンテナ１５２ｈを基材テープ１０１ｈのテープ搬送方向に平行に配置しており、この結果その電界の偏波方向Ｈｔｈはテープ搬送方向と平行となっている。そして、第１アンテナ１４ｈはテープ搬送経路を搬送される無線タグ回路素子Ｔoｈのアンテナ１５２ｈの真上に（垂直方向に）配置される位置関係となり、第１アンテナ１４ｈから放射された電波の伝播方向に交差して電界（その方向の一例をＥで表す）が発生され、その電界の偏波方向Ｈｄｈがテープ搬送方向となっている。なお、図５（ｂ）ではこの電界の交番方向を含む偏波面（偏波方向Ｈｄｈを含む面）をＨｈとして概念的に示している。また、ダイポールアンテナ１５２ｈは説明のために図示しているが実際には内層に配置されているので見えないように構成されている。
【００５９】
また、図５（ｃ）及び図５（ｄ）において、前述したように縦アンテナ型無線タグ回路素子Ｔoｖは、１本の細長いダイポールアンテナ１５２ｖを基材テープ１０１ｖのテープ搬送方向と略直角な方向に平行に配置しており、この結果電界の偏波方向Ｈｔｖはテープ搬送方向と略直交となっている。そして、第２アンテナ１４ｖはテープ搬送経路を搬送される無線タグ回路素子Ｔoｖのアンテナ１５２ｖの真上に（垂直方向に）配置される位置関係となり、第２アンテナ１４ｖから放射された電波の伝播方向に交差して電界（その方向の一例をＥで表す）が発生され、その電界の偏波方向Ｈｄｖがテープ搬送方向と略直交する（略直角な）方向となっている（言い換えれば偏波方向がテープ搬送方向と略直交している）。なお、上記同様、図５（ｄ）ではこの電界の交番方向を含む偏波面（偏波方向Ｈｄｖを含む面）をＨｖとして概念的に示している。
【００６０】
以上のように、上記横アンテナ型無線タグ回路素子Ｔoｈを内包する無線タグラベルＴｈと上記縦アンテナ型無線タグ回路素子Ｔoｖを内包する無線タグラベルＴｖとの間では、それぞれのタグ側アンテナ（ダイポールアンテナ１５２ｈ，１５２ｖ）の偏波方向どうしが略直交する関係となっている。これにより各無線タグラベルＴｈ，Ｔｖどうしを平行に配置させ、いずれか一方のタグ側アンテナの偏波方向に合わせて外部から無線信号を放射した場合には、偏波方向が一致する方の無線タグ回路素子に対してのみ無線通信を行うことができるが、他方の偏波方向が一致しない無線タグ回路素子（この場合タグ側アンテナの偏波方向は無線信号の偏波方向と直交）に対しては無線通信が行えないことになる。これにより、タグ側アンテナの偏波方向を異ならせることにより、無線通信を行わせる無線タグ回路素子Ｔoの選別が可能となる。
【００６１】
なお、この選別は偏波方向の違いによるものであるため、上記横アンテナ型無線タグ回路素子Ｔoｈと上記縦アンテナ型無線タグ回路素子Ｔoｖをそれぞれ偏波方向を一致させるように各無線タグラベルＴｈ，Ｔｖを配置（無線タグラベルＴｈ，Ｔｖどうしを直交配置）してそれらに一致する偏波方向で外部から無線信号を放射した場合には、両方に対して無線通信を行うことができることとなる。また、それぞれ横アンテナ型無線タグ回路素子Ｔoｈを内包する２つの同じ無線タグラベルｔｈを互いに直交に配置した場合には、両方同時に無線通信を行うことができず、いずれか一方のみに対して無線通信を行うことができることとなる（後述する人タグと物タグの配置関係がこれに相当する）。
【００６２】
図６は、上記高周波回路２１の詳細機能を表す機能ブロック図である。この図６において、高周波回路２１は、制御回路３０により切り替えられるアンテナスイッチ（切替）回路３４１と、このアンテナスイッチ回路３４１を経て２つの第１、第２アンテナ１４ｈ，１４ｖを介し上記無線タグ回路素子Ｔoｈ，Ｔoｖに対して信号を送信する送信部３２と、第１、第２アンテナ１４ｈ，１４ｖにより受信された無線タグ回路素子Ｔoｈ，Ｔoｖからの反射波を入力する受信部３３と、送受分離器３４とから構成される。
【００６３】
アンテナスイッチ回路３４１は、周知の高周波用ＦＥＴやダイオードを用いたスイッチ回路であり、制御回路３０からの選択信号により第１、第２アンテナ１４ｈ，１４ｖのいずれかを送受分離器３４に接続するものである。
【００６４】
送信部３２は、制御回路３０からの制御信号に応じ、無線タグ回路素子Ｔoｈ，ＴoｖのＩＣ回路部１５１の無線タグ情報にアクセスする(この例では読み取り、後述の変形例では書き込みも含む)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯又はマイクロ波帯の周波数を用いており、上記送信アンプ３９の出力は、送受分離器３４を介してアンテナスイッチ回路３４１を経て第１、第２アンテナ１４ｈ，１４ｖに伝達されて無線タグ回路素子Ｔoｈ，ＴoｖのＩＣ回路部１５１に供給される。
【００６５】
受信部３３は、第１、第２アンテナ１４ｈ，１４ｖにより受信された無線タグ回路素子Ｔoｈ，Ｔoｖからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記第１、第２アンテナ１４ｈ，１４ｖにより受信された無線タグ回路素子Ｔoｈ，Ｔoｖからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６６】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoｈ，Ｔoｖからの反射波の復調が行われる。
【００６７】
図７は、タグラベル作成装置２側の第１アンテナ１４ｈと第２アンテナ１４ｖの構成を表し、それぞれの偏波方向Ｈｄｈ，Ｈｄｖの配置を概念的に示した図である。
【００６８】
図７において、第１アンテナ１４ｈはこの例では直線状のダイポールアンテナ１４ｈＡ，１４ｈＢを略一直線上に設けた構成のものであり、基材テープ１０１のテープ搬送方向に対して略平行な配置で設けられている。このため、前述したように、偏波方向Ｈｄｈはテープ搬送方向と平行となっている。
【００６９】
また第２アンテナ１４ｖはこの例では略折りたたみ形状となるように屈曲変形させたダイポールアンテナ１４ｖＡ，１４ｖＢを設けた構成のものであり、基材テープ１０１のテープ搬送方向と略直角な方向に設けられている。このため、偏波方向Ｈｄｖはテープ搬送方向と略直交している。なお、第２アンテナ１４ｖのダイポールアンテナ１４ｖＡ，１４ｖＢが略折りたたみ形状に形成されている理由としては、信号送受信の際に十分な感度を得るためにアンテナが送受される信号の周波数に対応した長さに形成する必要があるところ、それよりも通常の基材テープ１０１の幅寸法が短いためそれに合わせるため略折りたたみ形状に屈曲変形させている。しかし、テープ幅寸法が十分に大きい場合や、十分大きな略シート状のテープ（単票状のテープ片）を扱う場合には第２アンテナ１４ｖも直線状のものを利用することができる。
【００７０】
そして、これら第１アンテナ１４ｈと第２アンテナ１４ｖは共に上記のアンテナスイッチ回路３４１に接続されており、制御回路３０からの選択信号によって第１アンテナ１４ｈが送受分離器３４に接続する状態と、第２アンテナ１４ｖが送受分離器３４に接続する状態とに切り替えられる。
【００７１】
なお、第１アンテナ１４ｈ及び第２アンテナ１４ｖは、それらの中心間距離がテープ搬送方向にｄだけ離れて配置されているが、このｄの値は装置設計上、適宜に設定すればよい。またｄ＝０とする（第１アンテナ１４ｈ及び第２アンテナ１４ｖを重なるように配置する）こともできる。また上下方向（テープ面に対し直交方向）位置についても第１アンテナ１４ｈ及び第２アンテナ１４ｖで互いにほぼ同一としても良いし、異なる上下方向位置としても良い。
【００７２】
図８は、上記センサ２０の構成の一例を表す説明図である。
【００７３】
図８において、センサ２０は、この例では、凹凸形状（孔も含む）を備えた被検出部１９０（偏波方向情報記録部）の識別子１９０Ａ〜Ｄに対しバネ部材２０Ａで接点２０Ｂを付勢当接させることで凹凸形状を検出するメカニカルスイッチであり、各凹凸部に対応して配置された接点２０Ｂより制御回路３０へ検出信号を出力するようになっている。
【００７４】
これら識別子１９０Ａ〜Ｄは、上記凹凸の有無によって、カートリッジ１００内の上記無線タグ回路素子Ｔoｖ，Ｔoｈに最適な通信パラメータ（無線通信に使用する電波の周波数、通信プロトコル等）やタグ属性パラメータ（基材テープ１０１内における無線タグ回路素子Ｔoｖ，Ｔoｈの配置間隔（ピッチ）、偏波方向情報に相当する無線タグ回路素子Ｔoｖなのか無線タグ回路素子Ｔoｈなのかという情報、タグ感度、ＩＣ回路部のメモリ容量や、基材テープ１０１のテープ幅等）に関するパラメータデータを表している。なお、通常、１つのカートリッジ内に備えられるすべての無線タグ回路素子Ｔoｖ，Ｔoｈについて、上記通信パラメータ及びタグ属性パラメータはすべてカートリッジごとに共通となっている。
【００７５】
例えば、識別子１９０Ａ〜Ｄのいずれか１つの識別子では、上記タグ属性パラメータに関する情報の例として、その内包する基材テープ１０１ｈにおける無線タグ回路素子Ｔoｈの配置間隔（例えば１２ｃｍ、１６ｃｍ等）を表し、また別の識別子には無線タグ回路素子Ｔoｖ，Ｔoｈの偏波方向情報（テープ搬送方向と略直交する偏波方向Ｈｔｖである、あるいはテープ搬送方向と平行な偏波方向Ｈｔｈである等）を表している。
【００７６】
そして制御回路３０は、これら識別子１９０Ａ〜Ｄの凹凸状態を示す接点２０Ｂの検出信号からカートリッジ１００における上記パラメータデータを知ることができ、さらにこれらパラメータデータの組み合わせから上記データベース５１より装着しているカートリッジ１００の種類（カートリッジ１００ｈ、１００ｖ等）を検索することができる。
【００７７】
なお、上記の検出手段としてのセンサ２０は、メカニカルスイッチに限られず、他の方式、例えば光の反射を利用したセンサであってもよい。この場合、例えば制御回路３０からの信号により発光する発光ダイオードと、その発光の各識別子１９０Ａ〜Ｄにおける反射光を受光し対応する検出信号を制御回路３０に出力するフォトトランジスタとを備えて構成することができる。また、さらに発展した光学センサとして、各種バーコード（１次元、２次元なども含む）をカートリッジ１００や基材テープ１０１の例えば剥離紙表面に記載し、タグラベル作成装置２の装置本体８に設けた読み取り装置で読み込む構成も可能である。さらに磁気的検出を行うセンサも用いることができる。
【００７８】
このように、カートリッジ１００に関するパラメータデータ（偏波方向情報）をカートリッジ１００側から自動取得することで、いちいち手動入力をするような煩わしさがなく、また入力ミスのない正しいパラメータデータを取得して確実にこれに対応する印字を行うことができる（偏波方向情報に対応する印字については後述する）。
【００７９】
図９は、上記無線タグ回路素子Ｔoｈ，Ｔoｖの機能的構成を表す機能ブロック図である。この図９において、無線タグ回路素子Ｔoｈ，Ｔoｖは、タグラベル作成装置２側のアンテナ１４ｈ，１４ｖとＵＨＦ帯等の高周波を用いて非接触で信号の送受信を行う上記アンテナ１５２と、このアンテナ１５２に接続された上記ＩＣ回路部１５１とを有している。
【００８０】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoｈ，Ｔoｖの作動を制御するための上記制御部１５５とを備えている。
【００８１】
変復調部１５８は、アンテナ１５２により受信された上記タグラベル作成装置２のアンテナ１４からの通信信号の復調を行うと共に、上記制御部１５５からの応答信号に基づき、アンテナ１５２が受信した搬送波を変調し、アンテナ１５２より反射波として再送信する。
【００８２】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８３】
クロック抽出部１５６は受信した信号からクロック成分を抽出して制御部１５５にクロックを抽出するものであり、受信した信号のクロック成分の速度に対応したクロックを制御部１５５に供給する。
【００８４】
図１０（ａ）及び図１０（ｂ）は、横アンテナ型無線タグ回路素子Ｔoｈを備えた基材テープ１０１ｈから、上述のように無線タグ回路素子Ｔoｈの情報読み取り（後述の変形例では書き込み）及び印字済タグラベル用テープ１１０ｈの切断が完了し形成された無線タグラベルＴｈの外観の一例を表す図であり、図１０（ａ）は上面図、図１０（ｂ）は下面図である。また図１１は、図１０中XI−XI′断面による横断面図である。
【００８５】
これら図１０（ａ）、図１０（ｂ）、及び図１１において、無線タグラベルＴｈは１つの横アンテナ型無線タグ回路素子Ｔoｈを内包し、図１１に示すように、図３に示した４層構造にカバーフィルム１０３が加わった５層構造となっており、カバーフィルム１０３側（図１１中上側）よりその反対側（図１１中下側）へ向かって、カバーフィルム１０３、粘着層１０１ｈａ、ベースフィルム１０１ｈｂ、粘着層１０１ｈｃ、剥離紙１０１ｈｄで５層を構成している。そして、前述のようにベースフィルム１０１ｈｂの裏側に設けられたダイポールアンテナ１５２ｈを含む横アンテナ型無線タグ回路素子Ｔoｈが粘着層１０１ｈｃ内に備えられるとともに、カバーフィルム１０３の裏面に印字Ｒ（この例では「ＲＦ−ＩＤ」の文字）が印刷されている。
【００８６】
図１２（ａ）及び図１２（ｂ）は、縦アンテナ型無線タグ回路素子Ｔoｖを備えた基材テープ１０１ｖから、上述のように無線タグ回路素子Ｔoｖの情報読み取り（後述の変形例では書き込み）及び印字済タグラベル用テープ１１０ｖの切断が完了し形成された無線タグラベルＴｖの外観の一例を表す図であり、図１２（ａ）は上面図、図１２（ｂ）は下面図である。また図１３は、図１２中XIII−XIII′断面による横断面図である。
【００８７】
これら図１２（ａ）、図１２（ｂ）、及び図１３において、無線タグラベルＴｖは１つの縦アンテナ型無線タグ回路素子Ｔoｖを内包し、図１３に示すように、図４に示した４層構造にカバーフィルム１０３が加わった５層構造となっており、上記横アンテナ型無線タグ回路素子Ｔoｈを内包した無線タグラベルＴｈと同様の積層構造となっている。そして、前述のようにベースフィルム１０１ｖｂの裏側に縦アンテナ型無線タグ回路素子Ｔoｖが粘着層１０１ｖｃ内に備えられている。
【００８８】
なお、この実施形態では、図１２（ａ）、図１２（ａ）に示すように、無線タグラベルＴｈ，Ｔｖは、それぞれテープ幅が一定であり、かつ無線タグ回路素子Ｔoｈ，Ｔoｖを中央に位置させる配置でテープ長手方向に一定の長さＬで切断されて作成されるものであり、この切断されたラベル長さＬは上記タグ属性パラメータのひとつである無線タグ回路素子Ｔoｈ，Ｔoｖの配置間隔と一致している。そして、この無線タグラベルＴｈ，Ｔｖのラベル長さＬ、すなわち無線タグ回路素子Ｔoｈ，Ｔoｖの配置間隔及びテープ幅は、それぞれ１つのカートリッジから引き出されて作成される全ての無線タグラベルＴｈ，Ｔｖで同一となっている。
【００８９】
図１４は、上述したようなタグラベル作成装置２による無線タグ回路素子Ｔoｈ，ＴoｖのＩＣ回路部１５１の無線タグ情報へのアクセス(読み取り又は書き込み)に際して、上記した端末５又は汎用コンピュータ６などに備えられた表示部に表示される画面の一例を表す図である。
【００９０】
図１４において、この例では、タグラベルの種別（この例では、上記タグ属性パラメータ情報であるラベル長さや偏波方向の情報で表されている）、無線タグ回路素子Ｔoに対応して印刷される印字文字Ｒ、その無線タグ回路素子Ｔoｈ，Ｔoｖに固有のＩＤであるアクセス（読み取り又は書き込み）ＩＤ、及び上記データベース５１に記憶された物品情報のアドレス、及び上記ルートサーバ４におけるそれらの対応情報の格納先アドレス等が前記端末５又は汎用コンピュータ６に表示可能となっている。そして、タグ作成時に、その端末５又は汎用コンピュータ６の操作によりタグラベル作成装置２が作動されて、カバーフィルム１０３に上記印字文字Ｒが印刷されると共に、後述するように無線タグ回路素子ＴoのＩＣ回路部１５１に予め記憶された対象物情報等の無線タグ情報が読みとられる（又はＩＣ回路部１５１に上記書き込みＩＤ及び物品情報等の情報が書き込まれる）。
【００９１】
ここで、本発明の最も大きな特徴は、取得した偏波方向情報に応じて、カバーフィルムの所定の印字領域に対し搬送方向に沿った横向き印字を行うか、若しくは搬送方向に沿った縦向き印字を行うかを制御する機能がタグラベル作成装置２に備えられていることである。特に、この実施形態では、装着されているカートリッジ中に巻回された基材テープに備えられている無線タグ回路素子が、横アンテナ型無線タグ回路素子Ｔoｈか（タグ側アンテナ１５２の偏波方向Ｈｔがテープ長手方向に対して平行な偏波方向Ｈｔｈか）、又は縦アンテナ型無線タグ回路素子Ｔoｖか（タグ側アンテナ１５２の偏波方向Ｈｔがテープ長手方向に対して直角な偏波方向Ｈｔｖか）を示す偏波方向情報と、さらに無線タグラベルを貼付・所持する対象物の種類に対応して選択されたモードとに応じて、タグラベル作成装置２が搬送方向に沿った横向き印字を行うか、若しくは縦向き印字を行うかを制御することにある。
【００９２】
以下、その詳細を、物品用タグラベル（以下単に、物タグＴobjという）を貼付させる物品と人物用タグラベル（以下単に、人タグＴmanという）を所持した人物とがリーダ（無線タグ情報読み取り装置；不図示）の通信範囲内に存在した場合を一例にとり、順次説明する。そして、この場合に、物タグＴobjと人タグＴmanとの間でそれぞれのタグ側アンテナ１５２の偏波方向を異ならせることで上記リーダによる無線通信の可否での選別するとともに、物タグＴobjと人タグＴmanとの間でそれぞれのラベルにおける印字方向（縦向き印字か横向き印字か）を異ならせることで視覚的にも選別できるように各無線タグラベルＴobj，Ｔmanを作成する。そして、基材テープ１０１における無線タグ回路素子Ｔoのタグ側アンテナ１５２の偏波方向がいずれの方向であるか（言い換えれば無線タグラベルＴｈか、無線タグラベルＴｖか）は、前述したように装着するカートリッジの種類により決まるものであり、また同じカートリッジ１００から作成する物タグＴobjと人タグＴmanの選択は、タグラベル作成装置２において無線タグラベルＴ１枚ごとに設定されるモード（後述）により選択される。
【００９３】
図１５は、横アンテナ型無線タグ回路素子Ｔoｈを内包する基材テープ１０１ｈを用いてタグラベルＴｈを作成する場合に、モードの設定によって選択作成される物タグＴobjと人タグＴmanの外観（すなわちタグラベルＴｈにおける印字方向が縦向き印字であれば物タグＴobjとなり横向き印字であれば人タグＴmanとなる）の一例を示す上面図であり、図１５（ａ）は物タグＴobjの上面図、図１５（ｂ）は人タグＴmanの上面図である。
【００９４】
これら図１５（ａ）、図１５（ｂ）において、物タグＴobj及び人タグＴmanのどちらも横アンテナ型無線タグ回路素子Ｔoｈがテープ長手方向のほぼ中央に位置しており（＝その意味で前述のタグラベルＴｈであり）、またタグ側アンテナ１５２ｈの偏波方向Ｈｔｈがテープ搬送方向と平行となっている。そして、図１５（ａ）に示す物タグＴobjの例においては、テープ長手方向（搬送方向）に沿って物品名の印字（図示する例では「物品１」の文字）が縦向き印字されており、図１５（ｂ）に示す人タグＴmanの例においては、テープ長手方向（搬送方向）に沿って人物名の印字（図示する例では「日本太郎」の文字）が横向き（横書き）印字されている。
【００９５】
ここで、縦向き印字とは、図１５（ａ）のようにテープ長手方向を上下縦方向に合わせた際に各印字文字の上下方向が正しい方向（上下縦方向に一致）となるよう印字する（いわゆる縦書き印字）ことであり、このように印字することにより無線タグラベルの貼付作業時には視覚的必然性からテープ長手方向を上下縦方向に合わせるよう貼付されることになる。また、横向き印字については、図１５（ｂ）のようにテープ長手方向を左右横方向に合わせた際に各印字文字の上下方向が正しい方向（上下縦方向に一致）となるよう印字する（いわゆる横書き印字）ことであり、このように印字することにより無線タグラベルの貼付作業時には視覚的必然性からテープ長手方向を左右横方向に合わせるよう貼付されることになる。
【００９６】
図１６は、縦アンテナ型無線タグ回路素子Ｔoｖを内包する無線タグラベルＴｖを用いてタグラベルを作成する場合に、モードの設定によって選択作成される物タグＴobjと人タグＴmanの外観の一例を示す上面図であり、図１６（ａ）は物タグＴobjの上面図、図１６（ｂ）は人タグＴmanの上面図である。
【００９７】
図１６（ａ）において、物タグＴobjの場合は縦アンテナ型無線タグ回路素子Ｔoｖがテープ長手方向の図中左側端部に位置しており（＝その意味で前述のタグラベルＴｖであり）、また図１６（ｂ）において、人タグＴmanの場合は縦アンテナ型無線タグ回路素子Ｔoｖがテープ長手方向の図中上側端部に位置している。また、物タグＴobj、人タグＴmanのどちらもタグ側アンテナ１５２ｖの電界の偏波方向Ｈｔｖはテープ搬送方向と略直交している。そして、図１６（ａ）に示す物タグＴobjの例においては、テープ長手方向（搬送方向）に沿って物品名の印字（図示する例では「物品２」の文字）が横向き印字されており、図１６（ｂ）に示す人タグＴmanの例においては、テープ長手方向（搬送方向）に沿って人物名の印字（図示する例では「鈴木花子」の文字）が縦向き印字されている。
【００９８】
また、本実施形態においては、上記図１５に示したように無線タグラベルＴｈを用いて物タグＴobjや人タグＴmanを構成する場合と、上記図１６に示したように無線タグラベルＴｖを用いて物タグＴobjや人タグＴmanを構成する場合のどちらにおいても、共通する基準として、物タグＴobjにおけるタグ側アンテナの偏波方向を（貼り付けた状態で）上下鉛直方向となるようにし、また人タグＴmanにおけるタグ側アンテナの偏波方向を左右水平方向となるようにする。これにより、図１５と図１６のいずれに示した無線タグラベルの場合でも、リーダが垂直偏波と水平偏波のいずれかに切り替えて無線通信することで、無線通信の可否による物タグＴobjと人タグＴmanの選別が可能となる。
【００９９】
図１７は、上述した各種の配置態様の無線タグラベルＴobj，Ｔmanを作成、すなわち、カバーフィルム１０３を搬送し印字ヘッド１０で所定の印字を行いつつ基材テープ１０１を貼り合わせて印字済タグラベル用テープ１１０とした後印字済タグラベル用テープ１１０を無線タグ回路素子Ｔoごとに切断し無線タグラベルＴobj，Ｔmanとする際に、制御回路３０によって実行される制御手順を表すフローチャートである。
【０１００】
この図１７において、タグラベル作成装置２における情報読み取り操作が行われるとこのフローが開始される。まずステップＳ５において、これから作成しようとする１枚の無線タグラベルを物タグラベルＴobjとして作成する物タグモードか人タグラベルＴmanとして作成する人タグモードかのモードの選択と、印字ヘッド１０により無線タグラベルＴへ印字すべき印字情報が、操作手段としての上記端末５又は汎用コンピュータ６を介して入力操作されて通信回線３及び入出力インターフェイス３１を介し読み込まれる（したがって上記端末５又は汎用コンピュータ６の操作手段がモード選択手段を構成する）。また、センサ２０により検出されたカートリッジ１００の上記偏波方向情報を含むパラメータデータが読み込まれる。
【０１０１】
次にステップＳ１０において、無線タグ回路素子Ｔoからの応答がなく、リトライを行う回数（アクセス試行回数）をカウントする変数Ｎ、及び通信良好か不良かを表すフラグＦを０に初期化する。
【０１０２】
次のステップＳ１００において、上記ステップＳ５で読み込んだモードと偏波方向情報に応じて印字方向（縦向き印字方向、横向き印字方向）を決定する印字方向決定処理を行う（後述の図１８のフロー参照）。
【０１０３】
その後、ステップＳ１５において、ラベル作成装置２側で使用するアンテナを切り替える。これは、上記ステップＳ５でセンサ２０により読み込まれた偏波方向情報（カートリッジ１００中の基材テープ１０１に内包されているのが横アンテナ型無線タグ回路素子Ｔoｈか縦アンテナ型無線タグ回路素子Ｔoｖか）に応じてアンテナスイッチ回路３４１に選択信号を出力し、第１アンテナ１４ｈを送受分離器３４に接続する状態とするか、若しくは、第２アンテナ１４ｖを送受分離器３４に接続する状態に、切り替える。
【０１０４】
すなわち、横アンテナ型無線タグ回路素子Ｔoｈが内包されている（＝テープ搬送方向の偏波方向Ｈｔｈである）ことがセンサ２０で検出された場合には、第１アンテナ１４ｈを送受分離器３４に接続する状態に切り替えられ、これによりタグ側アンテナ１５２ｈの偏波方向Ｈｔｈの方向と装置側アンテナ１４ｈの偏波方向Ｈｄｈの方向とが合致する。
【０１０５】
また、縦アンテナ型無線タグ回路素子Ｔoｖが内包されている（＝テープ搬送方向と直交する偏波方向Ｈｔｖである）ことがセンサ２０で検出された場合には、第２アンテナ１４ｖを送受分離器３４に接続する状態に切り替えられ、これによりタグ側アンテナ１５２ｖの偏波方向Ｈｔｖの方向と装置側アンテナ１４ｖの偏波方向Ｈｄｖの方向とが合致する。
【０１０６】
次にステップＳ２０へ移り、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からはカバーフィルム１０３が繰り出される。また、送出ローラ駆動回路２９を介して送出ローラ用モータ２８に制御信号を出力し、送出ローラ１７を回転駆動させる。なおこのとき、印字ヘッド１０はまだ通電されておらず、カバーフィルム１０３に印字は行われていない。
【０１０７】
次のステップＳ２５において、上記ステップＳ２０の搬送により印字開始位置に到達したかどうか、すなわち、上記ステップＳ２０で搬送した未印字のタグラベル用テープ１１０の搬送量が所定量となったかどうかを判定する。このときの搬送距離判定は、例えば、上記基材テープ１０１の剥離紙１０１ｈｄに設けた適宜の識別用マークを別途設けた公知のテープセンサで検出することにより行えば足りる。判定が満たされたら、ステップＳ３０に移る。
【０１０８】
ステップＳ３０では、上記ステップＳ１００の印字方向決定処理により決定された印字方向と上記ステップＳ５で読み込んだ印字情報（印字文字）に基づいた制御信号（詳細は後述の図１９参照）を印刷駆動回路２５に出力し、印字ヘッド１０を通電する。その結果、カバーフィルム１０３のうち所定の領域に、ステップＳ５で読み込んだ文字、記号、バーコード等の印字Ｒを、上記ステップＳ１００で決定した印字方向（縦向き印字方向又は横向き印字方向）に基づき印刷させる。その結果、基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【０１０９】
その後、ステップＳ２００では、タグ情報読み取り処理を行い、読み込むための問いかけ信号を無線タグ回路素子Ｔoに送信し、無線タグ情報を含む返答信号を受信して読み込む（詳細は後述の図２０参照）。このステップＳ２００が終了したらステップＳ３５に移る。
【０１１０】
ステップＳ３５では、フラグＦ＝０であるかどうかが判定される。読み取り処理が正常に完了していればＦ＝０のまま（後述の図２０に示すフローのステップＳ２８０参照）であるので、この判定が満たされ、ステップＳ４０に移る。
【０１１１】
ステップＳ４０では、上記ステップＳ２００で無線タグ回路素子Ｔoより読み取られた情報と、これに対応して既に印字ヘッド１０により印字された印字情報との組み合わせを、入出力インターフェイス３１及び通信回線３を介し端末５又は汎用コンピュータ６を介して出力し、情報サーバ７やルートサーバ４に記憶させる。なお、この記憶データは必要に応じて端末５又は汎用コンピュータ６より参照可能に例えばデータベース内に格納保持される。
【０１１２】
その後、カバーフィルム１０３のうちこの時点で処理対象としている無線タグ回路素子Ｔoに対応する領域への印字がすべて完了するまでステップＳ４５の判断を繰り返し、印字終了後、ステップＳ５５へ移る。
【０１１３】
なお、先に述べたステップＳ３５において、何らかの理由で読み取り処理が正常に完了していない場合はＦ＝１とされている（後述の図２０に示すフローのステップＳ２８０参照）のでＳ３５の判定が満たされず、ステップＳ５０に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、ステップＳ５５へ移る。
【０１１４】
ステップＳ５５では、印字済タグラベル用テープ１１０がさらに所定量（例えば、対象とする無線タグ回路素子Ｔoｈ，Ｔoｖ及びこれに対応するカバーフィルム１０３の印字領域のすべてがカッタ１５を所定の長さ(余白量)分越えるだけの搬送距離）だけ搬送されたかどうかを判断する。このときの搬送距離判定も、前述のステップＳ２５と同様、例えばマーキングをテープセンサで検出することにより行えば足りる。判定が満たされたら、ステップＳ６０に移る。
【０１１５】
ステップＳ６０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止し、剥離紙１０１ｄに設けた切断ラインがちょうどカッタ１５の刃物どうしの間に挟まれる位置となる（そのようになるように配置位置関係が予め設定されている）。
【０１１６】
その後、ステップＳ６５でソレノイド駆動回路２７に制御信号を出力してソレノイド２６を駆動し、カッタ１５の上記刃物を用いて印字済タグラベル用テープ１１０を上記切断ラインにて切断（分断）する。その結果、前述したように、無線タグ回路素子Ｔoｈ，Ｔoｖを所定位置に有し、且つ所定の印字方向の印字が行われたラベル状の無線タグラベルＴobj，Ｔmanが生成される。
【０１１７】
その後、ステップＳ７０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ６５でラベル状に生成された無線タグラベルＴobj，Ｔmanが搬出口１６へ向かって搬送され、さらに搬出口１６から装置２外へと排出される。
【０１１８】
このようにして前述の図１５（ａ）、図１６（ａ）に示す各態様の物タグである無線タグラベルＴobj、又は図１５（ｂ）、図１６（ｂ）に示す各態様の人タグである無線タグラベルＴmanが作成される。
【０１１９】
図１８は、上記図１７中におけるステップＳ１００の印字方向決定処理の詳細手順を表すフローチャートである。
【０１２０】
図１８において、まず、ステップＳ１０５において、上記図１７中のステップＳ５で読み込んだ偏波方向情報から装着されているカートリッジ１００中の基材テープ１０１に内包されている無線タグ回路素子Ｔoが横アンテナ型無線タグ回路素子Ｔoｈ（タグ側アンテナ１５２の偏波方向Ｈｔがテープ長手方向に平行な偏波方向Ｈｔｈ）であるか否かを判定する。無線タグ回路素子Ｔoが横アンテナ型無線タグ回路素子Ｔoｈである場合には、判定が満たされ、ステップＳ１１０へ移る。
【０１２１】
次のステップＳ１１０では、上記図１７中のステップＳ５で読み込んだモードが物タグモード（物タグである無線タグラベルＴobjを作成するモード）であるか否かを判定する。読み込んだモードが物タグモードである場合には、判定が満たされ、次のステップＳ１１５で印字方向を縦向き印字方向に決定（上記図１７中ステップＳ３０の印字開始時にこの決定した印字方向を反映させる；以下同様）した後、このルーチンを終了する。
【０１２２】
一方、上記ステップＳ１０５において、上記図１７中のステップＳ５で読み込んだ偏波方向情報から装着されているカートリッジ１００中の基材テープ１０１に内包されている無線タグ回路素子Ｔoが縦アンテナ型無線タグ回路素子Ｔoｖ（タグ側アンテナ１５２の偏波方向Ｈｔがテープ長手方向に直角な偏波方向Ｈｔｖ）であった場合には、判定が満たされず、ステップＳ１２０へ移る。
【０１２３】
ステップＳ１２０では、上記ステップＳ１１０と同様、上記図１７中のステップＳ５で読み込んだモードが物タグモードであるか否かを判定する。読み込んだモードが物タグモードである場合には、判定が満たされ、次のステップＳ１２５で印字方向を横向き印字方向に決定した後、このルーチンを終了する。
【０１２４】
また、上記ステップＳ１１０において、読み込んだモードが人タグモードである場合には、判定が満たされず、ステップＳ１２５へ移り、印字方向を横向き印字方向に決定した後、このルーチンを終了する。
【０１２５】
また、上記ステップＳ１２０において、読み込んだモードが人タグモードである場合には、判定が満たされず、ステップＳ１１５へ移り、印字方向を縦向き印字方向に決定した後、このルーチンを終了する。
【０１２６】
以上の印字方向決定処理により、アンテナの偏波方向Ｈｔｈがテープ搬送方向となる無線タグ回路素子Ｔoｈが配置された基材テープ１０１ｈを用いて無線タグラベルＴobj，Ｔmanを作成する場合と、アンテナの偏波方向Ｈｔｖがテープ搬送方向と略直交する無線タグ回路素子Ｔoｖが配置された基材テープ１０１ｖを用いて無線タグラベルＴobj，Ｔmanを作成する場合の両方を、１つのタグラベル作成装置２で切り替えて対応することができる。さらに、偏波方向Ｈｔを横方向にして貼り付ける横向きラベル、偏波方向Ｈｔを縦方向にして貼り付ける縦向きラベルのいずれについても、１つのタグラベル作成装置２で作成することができる。
【０１２７】
図１９は、制御回路３０の機能のうち、印字方向（縦向き印字方向又は横向き印字方向）の設定に係わる機能を表す機能ブロック図である。
【０１２８】
この図１９に示すように、制御回路３０は、入力部３０ａ、横向き印字方向印字バッファ部３０ｂ、縦向き印字方向印字バッファ部３０ｃ、制御信号生成部３０ｄ、及び出力部３０ｅを有している。
【０１２９】
制御回路３０は、操作者により端末５又は汎用コンピュータ６を介して入力操作され、図１７のステップＳ５で通信回線３及び入出力インターフェイス３１を介し読み込まれた印字情報（文字情報）を、入力部３０ａを介して上記横向き印字方向印字バッファ部３０ｂ及び縦向き印字方向印字バッファ部３０ｃに取り込む。
【０１３０】
横向き印字方向印字バッファ部３０ｂは、上記入力部３０ａを介して入力された印字情報を通常の方向でバッファ上に展開し、一時的に保管する。一方、縦向き印字転方向印字バッファ部３０ｃは、上記入力部３０ａを介して入力された印字情報を反時計方向に９０°回転させた方向でバッファ上に展開し、一時的に保管する。なお、この図１９では、バッファ上のデータの一例として「Ａ」の一文字を展開した場合を示している。
【０１３１】
制御信号生成部３０ｃは、図１８に示す印字方向決定処理により印字方向が横向き印字方向に決定された場合には、上記横向き印字方向印字バッファ部３０ｂのデータを読み取り、横向き印字方向に対応した制御信号を生成する。一方、図１８に示す印字方向決定処理により印字方向が縦向き印字方向に設定された場合には、上記縦向き印字方向印字バッファ部３０ｃのデータを読み取り、縦向き印字方向に対応した制御信号を生成する。
【０１３２】
そして、上記制御信号生成部３０ｄで生成した横向き印字方向制御信号又は縦向き印字方向制御信号を、出力部３０ｅを介して印刷駆動回路２５へ出力する。これにより、印字ヘッド１０が横向き印字方向又は縦向き印字方向の印字に対応するように通電され、カバーフィルム１０３の所定の領域に、印字Ｒが図１８に示す印字方向決定処理により決定した印字方向（横向き印字方向又は縦向き印字方向）にしたがって印刷されるようになっている。
【０１３３】
図２０は、上記図１７中におけるステップＳ２００のタグ情報読み取り処理の詳細手順を表すフローチャートである。
【０１３４】
図２０において、まず、ステップＳ２１０において、印字済みタグラベル用テープ１１０の印刷後、情報読み取り対象とする無線タグ回路素子Ｔoがアンテナ１４（第１アンテナ１４ｈ又は第２アンテナ１４ｖのうちいずれか送受分離器３４に接続された方のアンテナ）近傍に搬送され、対象となるタグが設定される。
【０１３５】
その後、ステップＳ２２０において、所定の通信パラメータ等に沿う形で無線タグ回路素子Ｔoに記憶された情報を読み出す無条件タグ情報取得命令である「Scroll ALL ID」コマンド（又は応答を求め階層的に処理するための「Ping」コマンドでもよい）を信号処理回路２２に出力する。これに基づき信号処理回路２２でアクセス情報としての「Scroll
ALL ID」信号（又は「Ping」信号）が生成されて高周波回路２１を介してアクセス対象の無線タグ回路素子Ｔoに送信され、返信を促す。
【０１３６】
次に、ステップＳ２３０において、上記「Scroll ALL ID」信号に対応し上記アクセス対象の無線タグ回路素子Ｔoから送信されたリプライ信号（タグＩＤ等の無線タグ情報を含む）をアンテナ１４を介して受信し、高周波回路２１及び信号処理回路２２を介し取り込む。
【０１３７】
次に、ステップＳ２４０において、上記ステップＳ２３０で受信したリプライ信号に誤りがないか否かを公知の誤り検出符号（ＣＲＣ符号；Cyclic Redundancy Check等）を用いて判定する。
【０１３８】
判定が満たされない場合はステップＳ２５０に移ってＮに１を加え、さらにステップＳ２６０においてＮが予め定められた所定のリトライ回数（この例では５回。それ以外の回数に適宜設定してもよい）となったかどうかが判定される。Ｎ≦４の場合は判定が満たされずステップＳ２２０に戻り同様の手順を繰り返す。Ｎ＝５の場合はステップＳ２７０に移り、エラー表示信号を入出力インターフェイス３１に及び通信回線３を介し上記端末５又は汎用コンピュータ６に出力して読み取り失敗（エラー）表示を行わせ、ステップＳ２８０で前述のフラグＦ＝１にし、このフローを終了する。このようにして読み取りが不調でも所定回数（この例では５回）までは再試行が行われる。
【０１３９】
ステップＳ２４０の判定が満たされた場合、読み取り対象とする無線タグ回路素子Ｔoからの無線タグ情報の読み取りが完了し、このフローを終了する。
【０１４０】
以上のルーチンにより、カートリッジ１００内のアクセス対象の無線タグ回路素子Ｔoに対し、ＩＣ回路部１５１の無線タグ情報にアクセスしこれを読み出すことができる。また、ＩＣ回路部１５１の無線タグ情報が所定回数以内で正しく読み出せなかった場合には、無線タグ回路素子Ｔoが破損していることが判るので、無線タグラベルが不良品でないかを判断することができる。
【０１４１】
以上において、制御回路３０が、各請求項記載の、センサ２０で取得した偏波方向情報に応じて印字ヘッド１０が所定の印字領域に対しいずれの方向での印字を行うかを制御する印字制御手段を構成する。このとき、制御回路３０が実行する図１８に示すフローが、偏波方向情報に応じて、圧着ローラ駆動軸１２のテープ搬送方向（テープ長手方向）に沿った横向き印字を行うか、若しくは、ローラ駆動軸１２のテープ搬送方向に沿った縦向き印字を行うかを決定する印字方向決定手段に相当する。また、制御回路３０中の制御信号生成部３０ｄが、上記印字方向決定処理で決定された印字方向に対応し、対応する駆動信号を生成して印字ヘッド１０へ出力する駆動信号生成手段を構成する。
【０１４２】
以上説明したように、本実施形態のタグラベル作成装置２においては、圧着ローラ１０７の駆動力で搬送される基材テープ１０１ｈ又は１０１ｖに備えられた無線タグ回路素子Ｔoｈ又はＴoｖに対し、第１、第２アンテナ１４ｈ又は１４ｖ、より無線通信にて情報送受信が行われ、さらに基材テープ１０１ｈ又は１０１ｖに貼り合わされるカバーフィルム１０３の所定の印字領域に対し印字ヘッド１０で印字が行われることで、印字付きの無線タグラベルＴｈ又はＴｖが作成される。このとき、制御回路３０が、センサ２０で取得した偏波方向情報に応じて印字ヘッド１０の印字方向を制御することにより、完成した無線タグラベルＴｈ又はＴｖにおいて、その印字方向と、ラベルに含まれる無線タグ回路素子Ｔoｈ，Ｔoｖのタグ側アンテナ１５２の偏波方向Ｈｔｈ，Ｈｔｖとは一対一に対応している。
【０１４３】
例えば図１５の例では、横アンテナ型無線タグ回路素子Ｔoｈを内包する無線タグラベルＴｈを用いて、物タグ（無線タグラベルＴobj；図１５（ａ））と人タグ（無線タグラベルＴman；図１５（ｂ））の２種類のタグラベルを構成する場合、物タグＴobjには縦向き印字で印字する一方で人タグＴmanには横向き印字で印字する。この結果、視覚的必然性から物タグＴobjは長手方向を上下垂直方向に向けて貼付され、人タグＴmanは長手方向を左右水平方向に向けて貼付されることになる。このとき、貼付された物タグＴobjの偏波方向Ｈｔｈは上下垂直方向となる一方、貼付された人タグＴmanの偏波方向Ｈｔｈは左右水平方向となる。すなわち、物タグＴobjと人タグＴmanのそれぞれにおける印字方向と偏波方向Ｈｔｈの向きが一対一に対応していることになる。この結果、いずれの場合であっても、使用者が臨む所望の偏波方向態様となるように、無線タグラベルの方向を間違えることなく正しく貼り付けることができる。
【０１４４】
同様に図１６の例では、縦アンテナ型無線タグ回路素子Ｔoｖを内包する無線タグラベルＴｖを用いて、物タグ（無線タグラベルＴobj；図１６（ａ））と人タグ（無線タグラベルＴman；図１６（ｂ））の２種類のタグラベルを構成する場合、物タグＴobjには横向き印字で印字する一方で人タグＴmanには縦向き印字で印字する。この結果、視覚的必然性から物タグＴobjは長手方向を左右水平方向に向けて貼付され、人タグＴmanは長手方向を上下鉛直方向に向けて貼付されることになる。このとき、貼付された物タグＴobjの偏波方向Ｈｔｖは上下垂直方向となる一方、貼付された人タグＴmanの偏波方向Ｈｔｖは左右水平方向となる。この場合も上記同様物タグＴobjと人タグＴmanのそれぞれにおける印字方向と偏波方向Ｈｔｈの向きが一対一に対応しており、いずれの場合であっても、使用者が臨む所望の偏波方向態様となるように、無線タグラベルの方向を間違えることなく正しく貼り付けることができる。
【０１４５】
また、本実施形態では特に、予め複数のモード（物タグモードと人タグモード）を設定しておき、操作者がその中から所望のモードを選択し、図１７中のステップＳ５でそのモードを読み込み、制御回路３０がその選択結果に応じて印字ヘッド１０の印字方向を制御する方式とすることにより、無線タグラベル作成時の操作者の入力の手間を低減し、利便性を向上することができる。
【０１４６】
また、本実施形態では特に、基材テープ１０１に備えられた無線タグ回路素子Ｔoの偏波方向Ｈｔの態様に応じて装置側アンテナ１４の偏波方向Ｈｄを切り替える（すなわち第１アンテナ１４ｈと第２アンテナ１４ｖとを切り替える）ことで、無線タグ回路素子Ｔo側の偏波方向態様がいずれであっても、確実に無線タグ回路素子Ｔoと情報の送受信を行い、無線タグラベルを作成することができる。
【０１４７】
なお、本実施形態のタグラベル作成装置２の制御手順では、図１８のフローに示す印字方向決定処理で複数の判定手順の組合せにより印字方向を決定したが、本発明はこれに限られず、例えば図２１に示すような各モードごとの偏波方向情報とこれに対応する印字方向との相関が記載されたモードテーブルを参照して印字方向を決定してもよい。この場合、制御回路３０が備えるＲＯＭや情報サーバ７などで構成する記憶手段にこのモードテーブルを記憶しておき、上記印字方向決定処理でこのモードテーブルを読み出して参照し、図１７中ステップＳ５で読み出した偏波方向情報とモードに対応させて印字方向を決定すればよい。
【０１４８】
これにより、操作者が所望のモードを選択して図１７中のステップＳ５でモードを読み込むと、制御回路３０は、情報サーバ７等に記憶されたこのモードテーブルを参照しつつ、制御回路３０がセンサ２０で取得した偏波方向情報に対応した印字方向となるように印字ヘッド１０を制御する。この結果、モード選択操作のみでタグラベルの偏波方向に対応する印字方向を一対一に対応させることができる。
【０１４９】
また、本実施形態のタグラベル作成装置２の構成では、装置側アンテナとしてそれぞれ偏波方向Ｈｄｈ，ｈｄｖが直交する配置の２つの第１アンテナ１４ｈと第２アンテナ１４ｖを独立して設け、基材テープ１０１に内包されている無線タグ回路素子Ｔoのタグ側アンテナ１５２の偏波方向Ｈｔｈ又はＨｔｖの向きに対応して無線通信する装置側アンテナを切り替える構成としたが、これに限られず、他にも例えば装置側アンテナを１つ設けてそれをモータなどの駆動により回転させることで装置側の偏波方向Ｈｄの向きを切り替える構成を適用することも可能である。あるいは、送信時における偏波方向特性がいわゆる円偏波（偏波方向が所定周期で時間変動する）となる装置側アンテナを用いることも考えられる。
【０１５０】
また、以上は物品用タグラベルを備えた物品と人物用タグラベルを所持した人物とが存在し、これらを混信せず区別してリーダで読み取りたい場合を例にとって説明したが、これに限られない。すなわち例えば、人物どうしを所定の２つの属性に区別（例えば男性と女性、従業員と招待客、親と子等）してそれぞれの所持するタグを識別したい場合や、物どうしを所定の２つの属性に区別（例えば位置を特定したい可般物等の物品とその位置特定の基準となる建造物や車、書類と事務機器、古いものと新しいもの、消耗品とそうでないもの等）してそれぞれのタグを識別したい場合等にも適用でき、これらの場合も同様の効果を得る。
【０１５１】
また、タグラベル作成装置２の装置本体８に設けるカートリッジホルダ部に対し、基材テープ１０１の色、幅、厚さ等の属性や基材テープ１０１における無線タグ回路素子Ｔoの配置方向が互いに異なる複数種類のカートリッジ１００を着脱可能に構成してもよい。この場合も各カートリッジ１００に設けた被検出部１９０（図８参照）からセンサ２０によって上記属性や無線タグ回路素子Ｔoの配置方向に関するタグ属性パラメータを検出すれば、例えば無線タグラベルの対象物の種類（人か物か、人が男性か女性か、物が場所を表す固定部材か物品か）等に応じて、異なるカートリッジ１００を着脱交換して使い分けることで、それら細分化された対象物の種類ごとに視覚的に明確に区別できるように無線タグラベルを作成することが可能となる（青色は物タグ、赤色は人タグなど）。これにより、さらに確実にラベルの貼り間違いを防止することができる。
【０１５２】
また、タグラベルの印字面に無線タグ回路素子Ｔohの外郭方向に合せるように（偏波方向をイメージしやすいように）、例えば図２２（ａ）や図２２（ｂ）に示すように、印字ヘッド１０においてセンサ２０での偏波方向に関する情報取得結果に応じて偏波方向を表すマーク印字ＴＭを行うのも有効である。これは、図１９における各バッファ部３０ｂ，３０ｃに印字情報を取り込んで展開する際に、併せて上記マーク印字の図形情報も重ねて展開すればよい。これにより、偏波方向を表すマーク印字によって偏波方向の態様を視覚的に明確にすることができるので、さらに確実に無線タグラベルＴobj，Ｔmanの方向を正しく貼り付けることができる。
【０１５３】
また、本実施形態のタグラベル作成装置２の構成では、無線タグ回路素子Ｔoの配置方向が異なる２種類のカートリッジ１００ｈ，１００ｖのいずれを装着しても、操作者の選択したモードに自動的に対応させて２種類の無線タグラベルＴobj，Ｔmanを作成したが、いずれか一方の種類のカートリッジだけを装着可能として、そのカートリッジが備える基材テープ１０１を用いてモードに対応した２種類の無線タグラベルＴobj，Ｔmanを作成することももちろん可能である。このような（タグ媒体側の偏波方向態様が予め限定されている）場合、例えば横アンテナ型無線タグ回路素子Ｔoｈである場合には装置２側にはアンテナ１４ｈのみを設けアンテナ１４ｖを省略してもよいし、逆に縦アンテナ型無線タグ回路素子Ｔoｖである場合には装置２側にはアンテナ１４ｖのみを設けアンテナ１４ｖを省略してもよい。またこれらの場合にはアンテナスイッチ回路３４１も不要となり、この結果前述の装置アンテナ切り替え手順（ステップＳ１５）も省略できる。
【０１５４】
また、特に図示しないが、前述したものと逆に、物タグＴobjの偏波方向Ｈｔを水平偏波に対応したものとし、人タグＴmanの偏波方向Ｈｔを垂直偏波に対応したものとするよう無線タグラベルＴobj，Ｔmanを作成することも可能である。
【０１５５】
さらに、本発明は、上記に限られるものではなく、その趣旨と技術思想の範囲を逸脱しない範囲でさらに種々の変形が可能である。以下、そのような変形例を説明する。
【０１５６】
（１）モード別に対応させて偏波方向の異なる基材テープを使用する場合
上記実施形態では、基材テープに備える無線タグ回路素子の偏波方向が全てそろっている（同一の）１つのカートリッジから、モード別に対応して異なる印字方向の２つの無線タグラベルを作成したが、本発明はこれに限られず、操作者が選択したモード（無線タグラベルを貼付・所持させる対象物の種類）に対応させてタグ側アンテナの偏波方向の異なるカートリッジを交換装着させてモード別に無線タグラベルを作成してもよい。
【０１５７】
図２３は、この変形例によりモードの設定によって選択作成される物タグＴobjと人タグＴmanの外観の一例を示す上面図であり、図２３（ａ）は物タグＴobjの上面図、図２３（ｂ）は人タグＴmanの上面図である。
【０１５８】
これら図２３（ａ）、図２３（ｂ）において、物タグＴobj及び人タグＴmanのどちらも横向き印字方向でそれぞれ物品名と人物名が印字されている。そして、図２３（ａ）に示す物タグＴobjは、縦アンテナ型無線タグ回路素子Ｔoｖがテープ長手方向の図中左側端部に位置する前述の無線タグラベルＴｖを用いて構成されており、また図２３（ｂ）に示す人タグＴmanは、横アンテナ型無線タグ回路素子Ｔoｈがテープ長手方向のほぼ中央に位置する前述の無線タグラベルＴｈを用いて構成されている。
【０１５９】
この変形例においては、物タグＴobjについては、縦アンテナ型無線タグ回路素子Ｔoｖが配置された基材テープ１０１ｖを備えたカートリッジ１００ｖを用い横向き印字方向で印字してタグラベルの作成を行い、完成した物タグＴobjにおけるタグ側アンテナ１５２の偏波方向を上下垂直方向となるようにする（図２３（ａ））。また人タグＴmanについては、横アンテナ型無線タグ回路素子Ｔoｈが配置された基材テープ１０１ｈを備えたカートリッジ１００ｈを用いて横向き印字方向で印字してタグラベルの作成を行い、完成した人タグＴmanにおけるタグ側アンテナ１５２の偏波方向を左右水平方向となるようにする（図２３（ｂ））。
【０１６０】
これらにより、リーダが垂直偏波と水平偏波のいずれかに切り替えて無線通信することで、無線通信の可否による物タグＴobjと人タグＴmanの選別が可能となる。
【０１６１】
この変形例のタグラベル作成装置は、上記実施形態と同じハードウェア構成を用いてフローの制御手順を多少変更することで実現する。すなわち、特に図示しないが、上記実施形態の図１７のフローにおけるステップＳ１００の印字方向決定処理の代わりに、以下に説明するカートリッジ交換処理を実行すればよい。
【０１６２】
図２４はこのような変形例における制御回路３０の実行するカートリッジ交換処理の詳細手順を表すフローチャートであり、上記実施形態の図１８のフローの代わりに行われるフローである。図２４のフローにおいては、まず、ステップＳ３０５で、上記図１７中のステップＳ５で読み込んだモードが物タグモードであるか否かを判定する。読み込んだモードが物タグモードである場合には、判定が満たされ、次のステップＳ３１０へ移る。
【０１６３】
ステップＳ３１０においては、上記図１７中のステップＳ５で読み込んだ偏波方向情報から装着されているカートリッジ１００中の基材テープ１０１に内包されている無線タグ回路素子Ｔoが縦アンテナ型無線タグ回路素子Ｔoｖである（タグ側アンテナ１５２の偏波方向Ｈｔがテープ長手方向に直角な方向である）か否かを判定する。無線タグ回路素子Ｔoが縦アンテナ型無線タグ回路素子Ｔoｖである場合には、判定が満たされ、そのままこのルーチンを終了する。
【０１６４】
無線タグ回路素子Ｔoが横アンテナ型無線タグ回路素子Ｔoｈである場合には、判定が満たされず、ステップＳ３１５に移って通信回線３を介し端末５又は汎用コンピュータ６などに備えられた表示部に縦アンテナ型無線タグ回路素子Ｔoｖを備えたカートリッジ１００ｖを交換装着するよう報知表示する。そしてカートリッジ１００ｖが装着されてステップＳ３１０の判定が満たされるまで、同様の手順を繰り返す。
【０１６５】
一方、上記ステップＳ３０５において、上記図１７中のステップＳ５で読み込んだモードが人タグモードである場合には、判定が満たされず、ステップＳ３２０へ移る。
【０１６６】
ステップＳ３２０においては、上記図１７中のステップＳ５で読み込んだ偏波方向情報から装着されているカートリッジ１００中の基材テープ１０１に内包されている無線タグ回路素子Ｔoが横アンテナ型無線タグ回路素子Ｔoｈであるか（タグ側アンテナ１５２の偏波方向Ｈｔがテープ長手方向に平行であるか）否かを判定する。無線タグ回路素子Ｔoが横アンテナ型無線タグ回路素子Ｔoｈである場合には、判定が満たされ、そのままこのルーチンを終了する。
【０１６７】
無線タグ回路素子Ｔoが縦アンテナ型無線タグ回路素子Ｔoｖである場合には、判定が満たされず、ステップＳ３２５に移って上記ステップＳ３１５と同様にしてカートリッジ１００ｈを交換装着するよう報知表示し、カートリッジ１００ｈが装着されてステップＳ３２０の判定が満たされるまで、同様の手順を繰り返す。
【０１６８】
以上のルーチンにより、物タグモードが選択されている場合には縦アンテナ型無線タグ回路素子Ｔoｖを備えるカートリッジ１００ｖを装着させるよう報知し、人タグモードが選択されている場合には横アンテナ型無線タグ回路素子Ｔoｈを備えるカートリッジ１００ｈを装着させるよう報知して、モードに対応した適切なカートリッジの装着を操作者に行わせることができる。
【０１６９】
そして上記カートリッジ交換処理の実行後に、図１７中のステップＳ１５以降の手順を実行することで、図２３に示した物タグラベルＴobj又は人タグラベルＴmanを作成することができる。なお、この変形例の場合は、上記ステップＳ１５の装置側アンテナ切替において、上記カートリッジ交換処理で検出した最新の偏波方向情報に基づいて装置側アンテナを切り替えればよい。
【０１７０】
本変形例によれば、１つのタグラベル作成装置で、無線タグ回路素子Ｔoｈが配置された基材テープ１０１ｈ、及び、無線タグ回路素子Ｔoｖが配置された基材テープ１０１ｖを、選択的に用い、どちらも印字方向を横方向にして貼り付ける横向きラベルで作成することができる。
【０１７１】
なお、本変形例では、物タグラベルＴobjと人タグラベルＴmanが相互に偏波方向の異なる無線タグ回路素子Ｔoを備えることを前提としているため、どちらも同じ印字方向で印字すれば必然的に互いの偏波方向が相違することになる。したがって図２３に示したように物タグラベルＴobjと人タグラベルＴmanのどちらも横向きラベルとして作成する以外にも、どちらも縦向きラベルとして作成しても同じ効果が得られる。
【０１７２】
（２）スタンドアローン型の場合
上記実施形態のタグラベル作成装置２は、入出力Ｉ／Ｆ３１及び通信回線３を介して端末５又は汎用コンピュータ６などが備える操作部及び表示部により操作者のモードや印字情報の入力、又は各種情報の表示を行うネットワーク型の構成となっていたが、本発明はこれに限られるものではなく、タグラベル作成装置自体に操作部、表示部及びデータベースなどを設けたスタンドアローン型として構成してもよい。
【０１７３】
図２５は、本変形例のタグラベル作成装置５０２の詳細構造を表す概念的構成図であり、上記実施形態の図２に相当する図である。なお、図２と同等の部分には同じ符号を付し、適宜説明を省略する。図２５において、装置本体８の内部には、入出力I／Ｆ３１及びセンサ２０に代えて、物品情報のアドレス等の各種情報が予め記憶された不揮発性記憶装置からなるデータベース５１（但しこのデータベース５１は装置５０２外に設けてもよい）と、複数の文字入力キーや各種ファンクションキーからなり操作者が印字に関する文字データや指示データを入力するための操作部５２（モード選択手段）と、ＬＣＤ（Liquid
crystal display）などからなり上記操作部５２から入力した文字データや指示データ又は報知信号などを操作者に対して表示するための表示部５３とを有する。
【０１７４】
本変形例では、上記実施形態の場合の図１７のステップＳ５においては、上記操作部５２を操作することにより、モードの選択入力、印字情報の入力の入力を行う。そして、図１７のステップＳ４０においては、印字情報と無線タグ回路素子Ｔoからの読み取り情報との組合せを、上記データベース５１に保存する。また、センサ２０を省略したのに対応し、現在使用しているカートリッジ１００に備えられた無線タグ回路素子Ｔoの偏波方向がどのような態様であるのか（テープ長手方向に平行であるのか、テープ長手方向に直角であるのか等）の偏波方向情報についても当該操作部５２より操作入力することによって制御回路３０へ情報を与える。
【０１７５】
その他の構成及び動作は、上記実施形態や各変形例と同様であるので詳細な説明を省略する。
【０１７６】
本変形例によれば、偏波方向情報を手動入力とすることで、基材テープ１０１上の無線タグ回路素子Ｔoの偏波方向Ｈｔがどのような態様である場合でも、確実に対応させることができる。
【０１７７】
（３）無線タグ回路素子に情報書き込みを行い無線タグラベルを作成する場合
以上においては、無線タグ回路素子ＴoのＩＣ回路部１５１からタグ情報の読み込みのみを行う場合を例にとって説明したが、これに限られず、情報書き込みが可能な無線タグ回路素子Ｔoを備えた無線タグラベルのタグラベル作成装置に本発明を適用してもよい。この場合も同様の効果を得る。
【０１７８】
（４）その他
なお、以上においては、カートリッジ１００等の内部を移動中の基材テープ１０１に対して無線タグ情報の書き込み・読み取りや印字を行う例を示したが、これに限られず、基材テープ１０１等を所定位置で停止させて（さらに読み取り・書き込みについては所定の搬送ガイドにて保持した状態としてもよい）上記印字や読み取り・書き込みを行うようにしてもよい。
【０１７９】
また、以上において、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１８０】
また、以上においては、無線タグ回路素子Ｔoを備えた基材テープ１０１とは別のカバーフィルム１０３に印字を行ってこれらを貼り合わせる方式であったが、これに限られず、タグ媒体としてのタグテープに備えられたカバーフィルムに印字を行う方式（貼りあわせを行わないタイプ）に本発明を適用してもよい。すなわちこの場合、印字ヘッドはタグ媒体に印字を行うこととなる。
【０１８１】
さらに、以上は、基材テープ１０１がリール部材１０２ａの周りに巻回されてロールを構成し、カートリッジ１００内にそのロールが配置されて基材テープ１０１が繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタック（例えばトレイ状のものに平積み積層）してカートリッジ化し、このカートリッジをタグラベル作成装置２側のカートリッジホルダに装着して、上記収納部から移送、搬送して印字及び書き込みを行いタグラベルを作成するようにしてもよい。
【０１８２】
さらには上記ロールを直接タグラベル作成装置２側に着脱可能に装着する構成や、長尺平紙状あるいは短冊状のテープやシートをタグラベル装置２外より１枚ずつ所定のフィーダ機構によって移送しタグラベル装置２内へ供給する構成も考えられ、さらにはカートリッジ１００のようなタグラベル作成装置２本体側に着脱可能なものにも限られず、装置本体側に着脱不能のいわゆる据え付け型あるいは一体型として第１ロール１０２を設けることも考えられる。この場合も同様の効果を得る。
【０１８３】
なお、以上で用いた「Scroll ALL ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１８４】
また、以上既に述べた以外にも、上記実施形態や各変形例による手法を適宜組み合わせて利用しても良い。
【０１８５】
その他、一々例示はしないが、本発明は、その趣旨を逸脱しない範囲内において、種々の変更が加えられて実施されるものである。
【図面の簡単な説明】
【０１８６】
【図１】本発明の一実施形態のタグラベル作成装置が適用される無線タグ生成システムを表すシステム構成図である。
【図２】タグラベル作成装置の詳細構造を表す概念的構成図である。
【図３】横アンテナ型無線タグ回路素子を形成した基材テープを備えるカートリッジの詳細構造を説明するための説明図である。
【図４】縦アンテナ型無線タグ回路素子を形成した基材テープを備えるカートリッジの詳細構造を説明するための説明図である。
【図５】基材テープに設けられた横アンテナ型無線タグ回路素子及び縦アンテナ型無線タグ回路素子のそれぞれのタグ側アンテナの偏波方向の配置を概念的に示した図である。
【図６】高周波回路の詳細機能を表す機能ブロック図である。
【図７】タグラベル作成装置側の第１アンテナと第２アンテナの構成を表し、それぞれの偏波方向の配置を概念的に示した図である。
【図８】カートリッジのパラメータデータを検出するセンサの構成の一例を表す説明図である。
【図９】無線タグ回路素子の機能的構成を表す機能ブロック図である。
【図１０】横アンテナ型無線タグ回路素子を備えた無線タグラベルの外観の一例を表す上面図及び下面図である。
【図１１】図１０中XI−XI′断面による横断面図である。
【図１２】縦アンテナ型無線タグ回路素子を備えた無線タグラベルの外観の一例を表す上面図及び下面図である。
【図１３】図１２中XIII−XIII′断面による横断面図である。
【図１４】無線タグ情報へのアクセスに際して、端末又は汎用コンピュータに表示される画面の一例を表す図である。
【図１５】横アンテナ型無線タグ回路素子を内包するタグラベルを作成する場合に、選択作成される物タグと人タグの外観の一例を示す上面図である。
【図１６】縦アンテナ型無線タグ回路素子を内包するタグラベルを作成する場合に、選択作成される物タグと人タグの外観の一例を示す上面図である。
【図１７】無線タグラベルの作成時に、制御回路によって実行される制御手順を表すフローチャートである。
【図１８】図１７におけるステップＳ１００の印字方向決定処理の詳細手順を表すフローチャートである。
【図１９】制御回路の機能のうち、印字方向の設定に係わる機能を表す機能ブロック図である。
【図２０】上記図１７中におけるステップＳ２００のタグ情報読み取り処理の詳細手順を表すフローチャートである。
【図２１】モードごとの偏波方向情報とこれに対応する印字方向との相関が記載されたモードテーブルの一例を示す図である。
【図２２】印字情報とあわせてマーク印字を印字したタグラベルの外観の一例を示した上面図である。
【図２３】モード別に対応させて偏波方向の異なる基材テープを使用する変形例において、モードの設定によって選択作成される物タグと人タグの外観の一例を示す上面図である。
【図２４】モード別に対応させて偏波方向の異なる基材テープを使用する変形例において、制御回路によって実行されるカートリッジ交換処理の詳細手順を表すフローチャートである。
【図２５】スタンドアローン型変形例のタグラベル作成装置の詳細構造を表す概念的構成図である。
【符号の説明】
【０１８７】
１                無線タグ生成システム
２                タグラベル作成装置
５                端末
６                汎用コンピュータ
１０              印字ヘッド（印字手段）
１４ｈ            第１アンテナ（アンテナ）
１４ｖ            第２アンテナ（アンテナ）
２０              センサ（偏波方向情報取得手段）
２１              高周波回路
２２              信号処理回路
３０              制御回路（印字制御手段）
３０ｄ            制御信号生成部（駆動信号生成手段）
１００            カートリッジ（無線タグ回路素子カートリッジ）
１０１            基材テープ（タグ媒体）
１０３            カバーフィルム（被印字媒体）
１０７            圧着ローラ（搬送手段）
１５１            ＩＣ回路部
１９０            被検出部（偏波方向情報記録部）
Ｔo               無線タグ回路素子
Ｔoｈ             横アンテナ型無線タグ回路素子
Ｔoｖ             縦アンテナ型無線タグ回路素子
【図１】
0004766380.tif 000002
【図２】
0004766380.tif 000003
【図３】
0004766380.tif 000004
【図４】
0004766380.tif 000005
【図５】
0004766380.tif 000006
【図６】
0004766380.tif 000007
【図７】
0004766380.tif 000008
【図８】
0004766380.tif 000009
【図９】
0004766380.tif 000010
【図１０】
0004766380.tif 000011
【図１１】
0004766380.tif 000012
【図１２】
0004766380.tif 000013
【図１３】
0004766380.tif 000014
【図１４】
0004766380.tif 000015
【図１５】
0004766380.tif 000016
【図１６】
0004766380.tif 000017
【図１７】
0004766380.tif 000018
【図１８】
0004766380.tif 000019
【図１９】
0004766380.tif 000020
【図２０】
0004766380.tif 000021
【図２１】
0004766380.tif 000022
【図２２】
0004766380.tif 000023
【図２３】
0004766380.tif 000024
【図２４】
0004766380.tif 000025
【図２５】
0004766380.tif 000026